(57)【要約】【課題】誘虫効果を高めた誘虫装置および捕虫器を提供する。【解決手段】捕虫器１は、誘虫装置２と、粘着性の捕虫シート３３を用いた捕虫装置３とで構成される。誘虫装置２は、波長が３００ｎｍ以上且つ４００ｎｍ以下の紫外光を照射する誘虫用のＬＥＤ２３と、下面が開口し、内部にＬＥＤ２３を収納する誘虫装置本体２１と、誘虫装置本体２１の開口部に取着される透光性のカバー２６と、カバー２６の一部に形成され、ＬＥＤ２３からの紫外光を受けて活性酸素を発生し、有機物の結合を分解することによって二酸化炭素を発生させる光触媒膜２７とを備えている。【選択図】図１
2007074908.tif 000002
【特許請求の範囲】
【請求項１】
波長が３００ｎｍ以上且つ４００ｎｍ以下の紫外光を照射する誘虫用光源と、当該誘虫用光源の照明範囲内に配置され、誘虫用光源からの紫外光を受けて活性酸素を発生し、有機物の結合を分解することによって二酸化炭素を発生させる光触媒とを備えて成ることを特徴とする誘虫装置。
【請求項２】
前記誘虫用光源が発光ダイオードからなることを特徴とする請求項１記載の誘虫装置。
【請求項３】
請求項１又は２記載の誘虫装置を備えるとともに、前記誘虫装置により誘引された虫を捕殺する捕殺手段と、捕殺手段を収納する捕虫装置本体と、前記誘虫用光源および前記光触媒を納装した誘虫装置本体に対して前記捕虫装置本体を着脱自在に取り付けるための取付手段とを備えて成ることを特徴とする捕虫器。
【発明の詳細な説明】
【技術分野】
【０００１】
本発明は、虫を誘引する誘虫装置および捕虫器に関するものである。
【背景技術】
【０００２】
この種の捕虫器としては、蚊、蠅、蛾などの虫が光に向かって進む性質（走光性）を利用し、誘虫用光源の光で虫を誘引し、誘虫用光源の近傍に集まってきた虫を、粘着性の捕虫紙により捕虫するものが従来より提供されている（例えば特許文献１参照）。
【特許文献１】特開２００３−７０４０２号公報
【発明の開示】
【発明が解決しようとする課題】
【０００３】
ところで、蚊、蠅、蛾などの虫では、波長が３３０ｎｍ以上且つ４２０ｎｍ以下の紫外光に対して、走行度が特に高くなっているので、上述の捕虫器では発光波長のピークが３６０ｎｍ以上且つ４００ｎｍ以下の発光ダイオードを用いることで、誘虫効果を高めているが、光の当たらない場所にいる虫を誘引することはできず、誘虫効果が不十分であった。
【０００４】
本発明は上記問題点に鑑みて為されたものであり、その目的とするところは、誘虫効果を高めた誘虫装置および捕虫器を提供することにある。
【課題を解決するための手段】
【０００５】
上記目的を達成するために、請求項１の発明は、波長が３００ｎｍ以上且つ４００ｎｍ以下の紫外光を照射する誘虫用光源と、当該誘虫用光源の照明範囲内に配置され、誘虫用光源からの紫外光を受けて活性酸素を発生し、有機物の結合を分解することによって二酸化炭素を発生させる光触媒とを備えて成ることを特徴とする。
【０００６】
この発明によれば、誘虫用光源により波長が３００ｎｍ以上且つ４００ｎｍ以下の紫外光を照射するとともに、誘虫用光源から照射される紫外光を受けて光触媒が二酸化炭素を発生させているので、走光性を有する虫に加えて、二酸化炭素に反応する吸血性の虫を、紫外光と二酸化炭素の両方で誘引することができるから、誘虫効果を高めた誘虫装置を実現でき、且つ、吸血性の虫が光の届かない場所にいる場合でも二酸化炭素で誘引できるから、誘虫装置の誘虫効果をさらに向上させることができる。
【０００７】
請求項２の発明は、請求項１の発明において、誘虫用光源が発光ダイオードからなることを特徴とする。
【０００８】
この発明によれば、誘虫用光源として消費電力の小さい発光ダイオードを用いているので、電池を電源とした場合でも長時間動作させることができ、携帯型の誘虫装置を実現できる。
【０００９】
請求項３の発明は、請求項１又は２記載の誘虫装置を備えるとともに、前記誘虫装置により誘引された虫を捕殺する捕殺手段と、捕殺手段を収納する捕虫装置本体と、前記誘虫用光源および前記光触媒を納装した誘虫装置本体に対して前記捕虫装置本体を着脱自在に取り付けるための取付手段とを備えて成ることを特徴とする。
【００１０】
この発明によれば、取付手段により誘虫装置本体に対して捕虫装置本体を着脱自在に取り付けているので、捕殺効果の低下により捕殺手段を交換する際には捕虫装置本体ごと取り替えることができるから、捕殺手段を容易に交換可能な捕虫器を実現できる。
【発明の効果】
【００１１】
請求項１の発明によれば、誘虫用光源により波長が３００ｎｍ以上且つ４００ｎｍ以下の紫外光を照射するとともに、誘虫用光源から照射される紫外光を受けて光触媒が二酸化炭素を発生させているので、走光性を有する虫に加えて、二酸化炭素に反応する吸血性の虫を、紫外光と二酸化炭素の両方で誘引することができるから、誘虫効果を高めた誘虫装置を実現でき、且つ、吸血性の虫が光の届かない場所にいる場合でも二酸化炭素で誘引できるから、誘虫装置の誘虫効果をさらに向上させることができる。
【００１２】
請求項２の発明によれば、誘虫用光源として消費電力の小さい発光ダイオードを用いているので、電池を電源とした場合でも長時間動作させることができ、携帯型の誘虫装置を実現できる。
【００１３】
請求項３の発明によれば、取付手段により誘虫装置本体に対して捕虫装置本体を着脱自在に取り付けているので、捕殺効果の低下により捕殺手段を交換する際には捕虫装置本体ごと取り替えることができるから、捕殺手段を容易に交換可能な捕虫器を実現できる。
【発明を実施するための最良の形態】
【００１４】
以下に本発明の実施の形態を図面に基づいて説明する。
【００１５】
（実施形態１）
本発明の実施形態１を図１に基づいて説明する。図１は捕虫器１の概略的な断面図であり、以下の説明では特にことわりがないかぎり、図１に示す向きにおいて上下左右の方向を規定する。
【００１６】
この捕虫器１は誘虫装置２と捕虫装置３とで構成され、誘虫装置２を上側にした状態で天井や壁に設けたフックから吊り下げて使用される。
【００１７】
誘虫装置２は、下面が開口した略箱形の誘虫装置本体２１と、誘虫装置本体２１の内部に収納された実装基板２２と、誘虫装置本体２１の開口に臨むようにして実装基板２２の下側面に実装された誘虫用光源としての発光ダイオード（以下、ＬＥＤと略称す。）２３と、誘虫装置本体２１の内部に収納され、電池（一次電池又は二次電池）を電源としてＬＥＤ２３に駆動電力を供給する電源部２４と、ＬＥＤ２３から側方に照射された光を下方に反射する反射板２５と、紫外領域の光に対して透光性を有する材料により形成され、下部の開口を塞ぐようにして誘虫装置本体２１に取着されるカバー２６とを備える。なお、電源部２４の電源は一次電池或いは二次電池に限らず、誘虫装置本体２１の表面において、開口以外の部位に太陽電池パネルを取り付け、この太陽電池パネルの起電力を電源として電源部２４を動作させても良い。
【００１８】
ＬＥＤ２３は実装基板２２に対して半田付け或いはソケットを介して取り付けられている。尚、図１では実装基板２２にＬＥＤ２３を１個だけ実装しているが、ＬＥＤ２３を複数実装しても良い。
【００１９】
ＬＥＤ２３の照射光の波長は例えば３００ｎｍ以上且つ４００ｎｍ以下、より好ましくは３５０ｎｍ以上且つ３７０ｎｍ以下の波長に設定しているが、照射光の波長は以下のような理由に基づいて決定している。すなわち、蚊、蠅、蛾などの虫は、波長が３３０ｎｍ以上且つ４２０ｎｍ以下の紫外光に対して走行度が特に高くなっており、光触媒膜２７には波長が４００ｎｍ以下の紫外光を照射すると二酸化炭素を発生させることができるので、両方の条件を満たすためにＬＥＤ２３の照射光の波長を３００ｎｍ以上且つ４００ｎｍ以下に設定している。
【００２０】
ＬＥＤ２３から照射された紫外光はカバー２６を通して、誘虫装置本体２１の外部に照射されるのであるが、カバー２６の一部には例えばＴｉＯ２或いはＰｔ／ＴｉＯ２（白金をつけた二酸化チタン）からなる光触媒膜２７が形成されている。而して光触媒膜２７がＬＥＤ２３の照明範囲内に配置され、ＬＥＤ２３から照射された紫外光の一部が光触媒膜２７に照射されることになり、光触媒膜２７によってＯＨラジカルなどの活性酸素を発生させ、この活性酸素が有機物の結合を分解することによって水と二酸化炭素を発生させる。
【００２１】
また誘虫装置本体２１は下部の開口をカバー２６により閉塞しており、内部を密閉しているので、防水性を確保でき、屋外での使用も可能になる。
【００２２】
一方、捕虫装置３は、扁平な箱状であって、誘虫装置２のカバー２６に対向する部位に、厚み方向に貫通する貫通孔３１ａが設けられた捕虫装置本体３１と、捕虫装置本体３１の内部において貫通孔３１ａを挟んで左右両側に回動自在に枢支されたローラ３２，３２と、透光性を有する帯状の剥離紙の片面に粘着部が形成され、両端がローラ３２，３２に取り付けられて、ローラ３２に巻装された捕虫シート３３（捕殺手段）とを備える。
【００２３】
捕虫装置本体３１の左右の側面からは誘虫装置本体２１側に向かって弾性係止片３４，３４が突出しており、各弾性係止片３４の先端の係止爪３４ａを誘虫装置本体２１の側面に設けた係止孔２１ａに係止させることによって、捕虫装置本体３１が誘虫装置本体２１に対して取着される。
【００２４】
一方、捕虫装置本体３１を誘虫装置本体２１から取り外す際には、各弾性係止片３４を誘虫装置本体２１の側面から離れる方向に撓ませると、弾性係止片３４の係止爪３４ａと係止孔２１ａとの係止状態が解除されるので、捕虫装置本体３１から誘虫装置本体２１を容易に取り外すことができる。ここに、捕虫装置本体３１の弾性係止片３４と、誘虫装置本体２１の係止孔２１ａとで取付手段を構成しているが、取付手段を上記の形態に限定する趣旨のものではなく、蝶番などの従来周知の取付手段を用いても良い。
【００２５】
ところで、捕虫装置本体３１を誘虫装置本体２１に取り付けた状態では、誘虫装置本体２１の光取出口が、捕虫装置本体３１の貫通孔３１ａに臨ませて配置されるので、誘虫装置本体２１からの照射光が貫通孔３１ａを通り、捕虫シート３３を透過して外部に照射される。また、光触媒膜２７により発生された二酸化炭素は、捕虫装置本体３１の内壁と捕虫シート３３との間の隙間を通して貫通孔３１ａの下部開口から外部に放射される。而して、ＬＥＤ２３からの紫外光と、光触媒膜２７により発生された二酸化炭素の両方で虫を誘引することができ、紫外光と二酸化炭素に集まってきた虫は貫通孔３１ａの下部開口や、捕虫装置本体３１の側面に設けた開口部（図示せず）を通って捕虫装置本体３１の内部に進入するので、貫通孔３１ａに配置された捕虫シート３３で、集まってきた虫を捕獲することができる。なお貫通孔３１ａの上下の開口には、幼児の指が入らない程度の大きさの格子状や長孔状の網を取り付けても良く、悪戯などで捕虫シート３３に触れるのを防止できる。
【００２６】
ここで、２個のローラ３２の内、少なくとも何れか一方のローラ３２には巻取操作用のハンドル（図示せず）が取り付けてあり、ハンドル操作によってローラ３２を回転させることができるようになっている。捕虫シート３３は使用初期時には一方のローラ３２に巻き取られているが、貫通孔３１ａ内に臨む捕虫シート３３の部位に多くの虫が捕獲された場合には、ハンドルを操作してローラ３２，３２を回転させれば、一方のローラ３２から捕虫シート３３が巻き出されて、もう一方のローラ３２に捕虫シート３３が巻き取られるので、虫が貼り付いていない捕虫シート３３の部位を貫通孔３１ａ内に臨ませて、新たな虫を捕獲することができる。ここで捕虫装置本体３１には、捕虫シート３３の巻取側の入口を狭めるための仕切り壁３５がローラ３２の近傍に突設してあり、巻取側の入口３５ａを狭めることで、ローラ３２に捕虫シート３３を巻き取る際に捕虫シート３３から外れた虫が外部に逃げるのを防止できる。なお入口３５ａに、虫が外部に逃げないような逆止弁（図示せず）を設けても良く、捕獲した虫がより逃げにくくなる。
【００２７】
そして、一方のローラ３２から捕虫シート３３が全て巻き出され、捕虫シート３３を使い終えると、使い終わった捕虫装置本体３１を誘虫装置本体２１から取り外し、新しい捕虫装置本体３１を誘虫装置本体２１に取り付けることで、再び虫の捕獲を開始することができる。このように捕虫シート３３を交換する際には、捕虫シート３３を直接交換することなく、捕虫装置本体３１を丸ごと取り替えることができるので、捕虫シート３３の交換作業を容易に行うことができる。
【００２８】
以上説明したようにＬＥＤ２３から照射された紫外領域の光は、カバー２６と、捕虫装置本体３１の貫通孔３１ａに配置された捕虫シート３３とを通して外部に照射されるので、紫外領域の光に対して走光性を有する虫（例えば蚊、蠅、蛾など）を誘引することができる。またＬＥＤ２３から照射された紫外光の一部は、カバー２６に設けた光触媒膜２７に照射されて二酸化炭素が発生するので、二酸化炭素に反応する吸血性の虫（例えば蚊、ブヨなど）を紫外光と二酸化炭素の両方で誘引することができ、誘虫効果を高めることができる。さらに光触媒膜２７により発生させた二酸化炭素は、光が届かない場所にも届くので、光が届かない場所にいる吸血性の虫を二酸化炭素で誘引できるから、誘虫効果をさらに高めることができる。
【００２９】
なお本実施形態の捕虫器１は吊り下げて使用されるのであるが、捕虫器１の設置方法を吊り下げ式に限定するものではなく、誘虫装置本体２１又は捕虫装置本体３１の何れかから下方に向かって脚部（図示せず）を突設し、捕虫装置本体３１と載置面との間に隙間を設けた状態で載置面の上に載置して使用しても良い。
【００３０】
（実施形態２）
本発明の実施形態２を図２に基づいて説明する。図２は捕虫器の概略的な断面図であり、以下の説明では特にことわりがないかぎり、図２に示す向きにおいて上下左右の方向を規定する。
【００３１】
この捕虫器１は誘虫装置２と捕虫装置４とで構成され、誘虫装置２を下側にして床などの載置面に載置した状態で使用される。尚、誘虫装置２の構成は実施形態１と略同様であるので、共通する構成要素には同一の符号を付してその説明は省略する。
【００３２】
捕虫装置４は、上側の端部が閉塞されると共に、下側の端部が開放された筒状の捕虫装置本体４１を備え、捕虫装置本体４１の側面には、下側に開放されるとともに上側に行く程幅狭に形成された切欠４３が設けられている。また捕虫装置本体４１の下部の開口４２には、切欠４３を挟んで左右両側に捕虫シート４４が取着されている。捕虫シート４４は紫外光に対して透光性を有しており、片面或いは両面に粘着部が形成されている。
【００３３】
誘虫装置本体２１は開口部を上向きにして載置され、その上面には複数個（誘虫装置本体２１が角形の場合は４個、円形の場合は３個以上）の突出片２８が上側に向かって突設してあり、この突出片２８を捕虫装置本体４１の係止凹部（図示せず）に嵌合させることによって、捕虫装置本体４１が誘虫装置本体２１に対して着脱自在に取着される。ここに、誘虫装置本体２１の突出片２８と捕虫装置本体４１の係止凹部とで取付手段を構成しているが、取付手段を上記の形態に限定する趣旨のものではなく、蝶番などの従来周知の取付手段を用いても良い。
【００３４】
捕虫装置本体４１を誘虫装置本体２１に取り付けた状態では、誘虫装置本体２１の開口に対向して捕虫シート４４が対向する。捕虫装置本体４１は少なくとも側面が紫外光に対して透光性を有する材料で形成されているので、誘虫装置２のＬＥＤ２３から照射された紫外光は、捕虫シート４４および捕虫装置本体４１を透過して外部に照射される。また光触媒膜２７がＬＥＤ２３からの紫外光を受けて二酸化炭素を発生すると、発生した二酸化炭素は捕虫装置本体４１の切欠４３を通して外部に放出される。而して、ＬＥＤ２３からの紫外光と、光触媒膜２７により発生した二酸化炭素とで、紫外領域の光に対して走光性を有する虫（例えば蚊、蠅、蛾など）と、二酸化炭素に反応する吸血性の虫（例えば蚊、ブヨなど）とを誘引することができ、誘虫効果を高めることができる。さらに光触媒膜２７により発生させた二酸化炭素は、光が届かない場所にも届くので、誘虫効果をさらに高めることができる。なお、カバー２６に設けた光触媒膜２７の幅は、捕虫装置本体４１の切欠４３の幅と略同じ寸法にするのが好ましく、光触媒膜２７により発生した二酸化炭素を効率良く捕虫装置本体４１の外部に放出させることができる。
【００３５】
そして、紫外光と二酸化炭素に誘引された虫は、捕虫装置本体４１の切欠４３を通して内部に進入するので、捕虫装置本体４１内に配置された捕虫シート４４により誘引された虫を捕獲することができる。捕虫シート４４に多様の虫が捕獲されて、捕虫シート４４の捕虫効果が低減した場合には、捕虫装置本体４１を誘虫装置本体２１から取り外し、新しい捕虫装置本体４１を誘虫装置本体２１に取り付けることで、再び虫の捕獲を開始することができる。このように捕虫シート４４を交換する際には、捕虫シート４４を直接交換することなく、捕虫装置本体４１を丸ごと取り替えることができるので、捕虫シート４４の交換作業を容易に行うことができる。
【００３６】
ところで本実施形態では捕殺手段として捕虫シート４４を用いているが、捕虫シート４４の代わりに、捕虫用の液体を入れた容器を捕虫装置本体４１の内部に配置しても良い。
【００３７】
また上述の各実施形態では誘虫装置２と捕虫装置３，４とで構成される捕虫器１を例に説明を行ったが、誘虫装置２のみで使用しても良く、誘虫効果を高めた誘虫装置２を実現できる。
【００３８】
なお、本発明の精神と範囲に反することなしに、広範に異なる実施形態を構成することができることは明白なので、この発明は、特定の実施形態に制約されるものではない。
【図面の簡単な説明】
【００３９】
【図１】実施形態１の断面図である。
【図２】実施形態２の断面図である。
【符号の説明】
【００４０】
１  捕虫器
２  誘虫装置
３  捕虫装置
２１  誘虫装置本体
２３  ＬＥＤ
２６  カバー
２７  光触媒膜
３３  捕虫シート
【図１】
2007074908.tif 000003
【図２】
2007074908.tif 000004